(57)【要約】      （修正有）【課題】円形リング状や円形等の各部パーツ形状にカットされた複数枚の段ボール板を積層して上面開放型の容器に形成される愛玩動物用ベッドの生産性を著しく高めて、その製造・加工コストを大幅に低減させるベッドを提供する。【解決手段】上面開放型容器の主部を形成する段ボール板Ｄ３〜Ｄ１１が、その端に沿って一定の間隔で複数の摺り割り溝ｍ３〜ｍ１１の位置を揃えるように位置合わせして積層されることにより、その摺り割り溝ｍ３〜ｍ１１が縦方向に連なって複数本の縦溝Ｍ、Ｍ…が形成され、これら縦溝Ｍの溝内に、段ボール板Ｄ３〜Ｄ１１の端を上フック部３と下フック部４との間に挟み込んで一括保持するホルダ２が嵌め付けられている。【選択図】図６
0003163429.tif 000002
【実用新案登録請求の範囲】
【請求項１】
各部パーツ形状にカットされた複数枚の段ボール板を積層して上面開放型の容器に形成された愛玩動物用ベッドであって、前記容器の主部を形成する各段ボール板の端に沿って一定の間隔で複数の摺り割り溝が形成され、これら段ボール板が、前記各摺り割り溝の位置を揃えるように位置合わせして積層されることにより、前記各摺り割り溝が縦方向に連なって複数本の縦溝が形成され、これら縦溝の溝内に、前記容器の主部を形成する段ボール板の端を上フック部と下フック部との間に挟み込んで一括保持するホルダが嵌め付けられていることを特徴とする愛玩動物用ベッド。
【請求項２】
前記ホルダが、前記縦溝の溝内に嵌め込むシャンク部と、当該シャンク部の両端に形成された前記上フック部と下フック部を有し、その全体が、前記縦溝の溝内に嵌め込み可能な板厚を有する板状体によって形成されている請求項１記載の愛玩動物用ベッド。
【請求項３】
前記板状体が、積層段ボール板もしくは強化段ボール板で成る請求項２記載の愛玩動物用ベッド。
【請求項４】
前記容器の主部が、容器周壁部を形成するリング状の段ボール板と、容器底部を形成する段ボール板とを積層して形成され、その主部を形成する最上層の段ボール板に対して、前記上フック部を板厚内に収容する穴が形成されたリング状の段ボール板が接着剤で貼着され、更に、その上から、前記穴を覆い隠すリング状の段ボール板が接着剤で貼着されると共に、前記容器の主部を形成する最下層の段ボール板に対して、前記下フック部を板厚内に収容する穴が形成された段ボール板が接着剤で貼着されている請求項２又は３記載の愛玩動物用ベッド。
【請求項５】
前記容器の主部が、外径が漸増ないし漸減する異種サイズの段ボール板を積層して形成されることにより、その主部の外面が多段形状に形成されると共に、それら各段ボール板の端に沿って形成される前記各摺り割り溝が縦方向に連なって形成される前記縦溝の溝底が多段形状に形成され、その縦溝の溝内に嵌め込む前記ホルダのシャンク部が、縦溝の溝底形状と嵌合可能な多段形状に形成されている請求項２、３又は４記載の愛玩動物用ベッド。
【請求項６】
前記容器の主部が、容器周壁部を形成する円形リング状の段ボール板と、容器底部を形成する円形の段ボール板とを積層して形成されている請求項１、２、３、４又は５記載の愛玩動物用ベッド。
【請求項７】
前記容器の主部が、容器周壁部を形成する楕円形リング状の段ボール板と、容器底部を形成する楕円形の段ボール板とを積層して形成されている請求項１、２、３、４又は５記載の愛玩動物用ベッド。
【請求項８】
前記容器の主部が、容器周壁部を形成する長円形リング状の段ボール板と、容器底部を形成する長円形の段ボール板とを積層して形成されている請求項１、２、３、４又は５記載の愛玩動物用ベッド。
【考案の詳細な説明】
【技術分野】
【０００１】
本考案は、屋内・室内で飼育するペットの寝床として使用される愛玩動物用ベッドに係り、特に、猫の寝床として好適なベッドに関する。
【背景技術】
【０００２】
従来の愛玩動物用ベッドは、中・小型犬や猫などが体を丸めて横たわることができる程度のサイズを有する円形ないし角丸方形の底部と、その周囲から立ち上がる周壁部が形成されて、当該周壁部の一部を切り欠き形状にして出入口が形成されたものや、周壁部と一体的にフード状の天部が形成されたものなどが一般的であり、その多くは、クッション性を有するウレタンフォーム等の芯材に、ふかふかした感触や柔らかな感触を有するポリエステルボア等の布地が被せられた構造となっている。（特許文献１〜３参照）。
【０００３】
しかしながら、表面にポリエステルボア等の布地を被せた愛玩動物用ベッドは、その布地に汚れや犬猫の体毛が付着しやすく、付着した汚れや体毛を除去することも困難であるから、日が経つと全体的に薄汚れた印象や不潔な印象を与えて、室内の景観や雰囲気を損なうことがあった。
【０００４】
また、市販の愛玩動物用ベッドは、その大半が、上記の如く、クッション性と、ふかふかした感触や柔らかな感触を有する構造となっているが、動物は、人間と違って、必ずしもクッション性のあるベッドや、ふかふかして柔らかい感触のベッドを好むとは限らず、例えば、２００７年に、飼い猫が蓋を取った土鍋の中に次々と入り込んで寝る様子が、「ねこ鍋」と称してＴＶや新聞、雑誌等で広く報道され、この報道によって、猫は、土鍋のような硬くてクッション性のない容器も寝床として好むことが判った。
【０００５】
そこで本考案者は、猫が段ボール箱の中に入って寝ることを好む習性があることに着目すると同時に、段ボールは、猫の体毛や汚れなどが付着し難いこと、付着した体毛を容易に払拭できること、付着した汚れが目立たないこと、軽くて丈夫であること、原材料費が安いこと、コンピュータ制御の段ボール裁断機によって所望の形状に裁断加工できること等々の利点があることに着目して、土鍋本体と同じような上面開放型の容器を段ボールで製作することを企図し、種々試作を重ねた結果、例えば図８に示すように、原材料となる複両面段ボールを段ボール裁断機で各部パーツ形状にカットした複数枚（ｎ枚）の段ボール板ｄ１、ｄ２、ｄ３、ｄ４、ｄ５…ｄｎを積層して上面開放型の容器８１に形成された猫用ベッドを作製した。
【０００６】
図８の容器８１は、容器周壁部を形成する円形リング状の段ボール板ｄ１、ｄ２、ｄ３、ｄ４、ｄ５等と、容器底部を形成する円形の段ボール板ｄｎ等が、その中心を揃えるように位置合わせして積層されると共に、それらが接着剤で貼り合わせて一体化された構造となっている。また、この容器８１は、外径が一定の比率で漸増ないし漸減する異種サイズの段ボール板ｄ１、ｄ２、ｄ３、ｄ４、ｄ５…ｄｎが、その中心を揃えて積層されることにより、容器８１の外面全体が均整な多段形状に形成されて、段ボールアート作品のような造形美を呈するインテリア性の高いものとなっているから、リビング等の室内に置いてもその室内の景観や雰囲気を損なうおそれがないという優れた長所がある。
【０００７】
しかしながら、容器８１を形成する全ての段ボール板ｄ１、ｄ２、ｄ３、ｄ４、ｄ５…ｄｎを接着剤で一枚ずつ貼り合わせて積層する加工は、非常に面倒であり、その加工コストが著しく嵩むという問題があった。特に、外径サイズが異なる段ボール板ｄ１、ｄ２、ｄ３、ｄ４、ｄ５…ｄｎをそれらの中心を揃えるように位置合わせしながら接着剤で貼り合わせて外面が均整な多段形状に形成された容器８１を組み立てる作業は、面倒で且つ困難を伴うから、容器８１の生産性が悪く、当該容器８１で成る猫用ベッドのコストダウンを図ることができないという問題があった。
【先行技術文献】
【特許文献】
【０００８】
【特許文献１】実登３０１９６８２号公報
【特許文献２】特開２００２−８４９１２号公報
【特許文献３】特開２００５−３２３５５３号公報
【考案の概要】
【考案が解決しようとする課題】
【０００９】
本考案は、円形リング状や円形等の各部パーツ形状にカットされた複数枚の段ボール板を積層して上面開放型の容器に形成される愛玩動物用ベッドの生産性を著しく高めて、その製造・加工コストを大幅に低減させることを技術的課題とする。
【課題を解決するための手段】
【００１０】
上記課題を解決するために、本考案は、各部パーツ形状にカットされた複数枚の段ボール板を積層して上面開放型の容器に形成された愛玩動物用ベッドであって、前記容器の主部を形成する各段ボール板の端に沿って一定の間隔で複数の摺り割り溝が形成され、これら段ボール板が、前記各摺り割り溝の位置を揃えるように位置合わせして積層されることにより、前記各摺り割り溝が縦方向に連なって複数本の縦溝が形成され、これら縦溝の溝内に、前記容器の主部を形成する段ボール板の端を上フック部と下フック部との間に挟み込んで一括保持するホルダが嵌め付けられていることを特徴とする。
【考案の効果】
【００１１】
本考案によれば、愛玩動物用ベッドとなる上面開放型容器の主部を形成する各段ボール板が、その端に沿って形成された摺り割り溝が縦方向に連なって形成される縦溝の溝内に嵌め付けられたホルダによって一括保持されるので、それら段ボール板を接着剤で一枚ずつ貼り合わせて一体化させる面倒な加工が不要となる。したがって、複数枚の段ボール板を積層して上面開放型の容器に形成する愛玩動物用ベッドの生産性が著しく向上し、その製造・加工コストを大幅に低減することができるという優れた効果がある。
【図面の簡単な説明】
【００１２】
【図１】本考案の実施例に係る愛玩動物用ベッドの正面図。
【図２】本考案の実施例に係る愛玩動物用ベッドの平面図。
【図３】本考案の実施例に係る愛玩動物用ベッドの底面図。
【図４】図１のＡ−Ａ断面図。
【図５】本考案の実施例に係る愛玩動物用ベッドの構成部材を示す図。
【図６】本考案の実施例に係る愛玩動物用ベッドの組立手順（１）を示す図。
【図７】本考案の実施例に係る愛玩動物用ベッドの組立手順（２）を示す図。
【図８】本考案が作製した愛玩動物用ベッドの従来例を示す図。
【考案を実施するための形態】
【００１３】
本考案に係る愛玩動物用ベッドの実施形態は、当該ベッドを形成する上面開放型の容器が、段ボール裁断機で各部パーツ形状にカットされた複数枚の段ボール板を積層して形成されると共に、当該容器の主部を形成する各段ボール板の端に沿って一定の間隔で複数の摺り割り溝が形成され、これら段ボール板が、各摺り割り溝の位置を揃えるように位置合わせして積層されることにより、各摺り割り溝が縦方向に連なって複数本の縦溝が形成され、これら縦溝の溝内に、容器の主部を形成する段ボール板の端を上フック部と下フック部との間に挟み込んで一括保持するホルダが嵌め付けられている。
【００１４】
また、前記ホルダは、前記縦溝の溝内に嵌め込むシャンク部と、当該シャンク部の両端に形成された前記上フック部と下フック部を有し、その全体が、前記縦溝の溝内に嵌め込み可能な板厚を有する積層段ボール板もしくは強化段ボール板、あるいは合板、天然木板、プラスチック板などの板状体によって形成されている。
【００１５】
また、前記容器の主部は、容器周壁部を形成するリング状の段ボール板と、容器底部を形成する段ボール板とを積層して形成され、その主部を形成する最上層の段ボール板に対して、前記上フック部を嵌め入れて板厚内に収容する穴が形成されたリング状の段ボール板が接着剤で貼着され、更に、その上から、前記穴を覆い隠すリング状の段ボール板が接着剤で貼着されると共に、前記容器の主部を形成する最下層の段ボール板に対して、前記下フック部を嵌め入れて板厚内に収容する穴が形成された段ボール板が接着剤で貼着されている。
【００１６】
また、前記容器の主部は、外径が漸増ないし漸減する異種サイズの段ボール板を積層して形成されることにより、その外面が多段形状に形成され、それら各段ボール板の端に沿って形成される前記各摺り割り溝が縦方向に連なって形成される前記縦溝の溝底が、多段形状に形成され、その縦溝の溝内に嵌め込む前記ホルダのシャンク部が、縦溝の溝底形状と嵌合可能な多段形状に形成されている。
【００１７】
また、前記容器の主部は、円形リング状の段ボール板と円形の段ボール板とを積層して形成されるか、あるいは楕円形リング状の段ボール板と楕円形の段ボール板、もしくは長円形リング状の段ボール板と長円形の段ボール板とを積層して形成されている。
【実施例】
【００１８】
本考案の実施例に係る愛玩動物用ベッドは、一定の板厚を有する複両面段ボールを段ボール裁断機で各部パーツ形状にカットして成る計１２枚の段ボール板Ｄ１〜Ｄ１２を積層して、猫が丸くなって寝ることができる程度の大きさを有した上面開放型の容器１に形成されている。
【００１９】
容器１を形成する段ボール板Ｄ１〜Ｄ１２は、円形リング状ないし円形にカットされると共に、最上層の段ボール板Ｄ１から最下層の段ボール板Ｄ１２にかけてその外径が一定の比率で漸減する異種サイズに形成されている。これにより、段ボール板Ｄ１〜Ｄ１２をその中心を揃えて積層すると、外面全体が均整な多段形状を成す容器１が形成されることとなる。
【００２０】
容器１の主部は、容器周壁部を形成する円形リング状の段ボール板Ｄ３〜Ｄ８と、容器底部を形成する円形の段ボール板Ｄ９〜Ｄ１１とで形成され、各段ボール板Ｄ３〜Ｄ１１には、その端に沿って９０°間隔で、均等な溝幅を有する摺り割り溝ｍ３〜ｍ１１が計４つずつ形成されている。
【００２１】
そして、図６の如く、段ボール板Ｄ３〜Ｄ１１が、その中心を揃えると共に、摺り割り溝ｍ３〜ｍ１１の位置を揃えるように位置合わせして積層されることにより、各段ボール板Ｄ３〜Ｄ１１の摺り割り溝ｍ３〜ｍ１１が縦方向に連なって、溝底が多段形状を成す計４本の縦溝Ｍ、Ｍ…が形成され、これら各縦溝Ｍの溝内に、段ボール板Ｄ９〜Ｄ１１の端を上フック部３と下フック部４との間に挟み込んで一括保持するホルダ２が嵌め付けられることにより、容器１の主部を形成する段ボール板Ｄ３〜Ｄ１１が、接着剤によらずして一体化されている（図７参照）。
【００２２】
ホルダ２は、縦溝Ｍの溝内に嵌め込むシャンク部５と、当該シャンク部の両端に形成された上フック部３と下フック部４とを有し、その全体が、縦溝Ｍの溝内に嵌め込み可能な板厚を有する積層段ボール板もしくは強化段ボール板で形成されている。なお、ホルダ２の上フック部３と下フック部４の高さは、容器１を形成する段ボール板の板厚と略同等の高さに形成されている。
【００２３】
また、ホルダ２のシャンク部５は、縦溝Ｍの溝底に圧し当てる片面５ａ側が、外径サイズが異なる段ボール板Ｄ３〜Ｄ１１をその中心と摺り割り溝ｍ３〜ｍ１１の位置とを揃えて積層したときに形成される縦溝Ｍの溝底形状と嵌合可能な多段形状に形成されている。
【００２４】
これにより、段ボール板Ｄ３〜Ｄ１１の端に形成された摺り割り溝ｍ３〜ｍ１１が縦方向に連なって形成される縦溝Ｍ、Ｍ…の溝内に、ホルダ２、２…のシャンク部５を嵌め込むと、各縦溝Ｍ、Ｍ…の溝底が、多段形状に形成されたシャンク部５の片面５ａ側で押圧されて当該片面５ａ側と嵌合する多段形状に形成され、外径サイズが異なる段ボール板Ｄ３〜Ｄ１１が、その中心を揃えて均整に積層された状態となって、ホルダ２、２…の上フック部３と下フック部４で一括保持されることとなる。
【００２５】
すなわち、段ボール板Ｄ３〜Ｄ１１の摺り割り溝ｍ３〜ｍ１１で形成される縦溝Ｍ、Ｍ…の溝内にホルダ２、２…のシャンク部５を嵌め込むだけで、自動的に、段ボール板Ｄ３〜Ｄ１１が、その中心を揃えて積層された状態になると同時に、ホルダ２、２…の上フック部３と下フック部４によって一括保持された状態となるから、外径サイズが異なる段ボール板Ｄ３〜Ｄ１１をその中心を揃えるように位置合わせしながら積層して接着剤で貼り合わせる面倒で困難な組立作業が不要となる。
【００２６】
また、ホルダ２は、容器１を形成する段ボール板Ｄ１〜Ｄ１２と素材・質感が同じ積層段ボール板もしくは強化段ボール板で形成され、しかも、ホルダ２の片面５ａ側と反対側の他面５ｂ側は、外径サイズが異なる段ボール板Ｄ３〜Ｄ１１を中心を揃えて積層したときに形成される容器主部の外面形状と符合する多段形状に形成されて、その外面形状の一部を成しているから、容器１の外観体裁を損なうことがなく、また、段ボール板Ｄ１〜Ｄ１２と共に再生処理や廃棄処理を行うことができるという利点がある。
【００２７】
また、複数枚の段ボールを貼り合わせて作製された積層段ボール板や、通常よりも硬い段ボール原紙で作製された強化段ボール板で成るホルダ２は、必要十分な強度を有しており、材料費が安い上に、その形状を記憶させたコンピュータ制御の段ボール裁断機によって容易に量産することができるから、その製造・加工コストも安いという利点もある。
【００２８】
次に、図７の如く、容器１の主部を形成する段ボール板Ｄ３〜Ｄ１１の端をホルダ２の上フック部と下フック部との間に挟み込んで一括保持した後、その最上層の段ボール板Ｄ３に対して、ホルダ２、２…の上フック部３を嵌め入れて板厚内に収容する計４つの穴ｈ２、ｈ２…が形成されたリング状の段ボール板Ｄ２を接着剤で貼着し、更に、その上から、段ボール板Ｄ２に形成された穴ｈ２、ｈ２…を覆い隠すリング状の段ボール板Ｄ１を接着剤で貼着すると共に、容器主部の最下層の段ボール板Ｄ１１に対して、ホルダ２、２…の下フック部４を嵌め入れて板厚内に収容する穴ｈ１２、ｈ１２…が形成された段ボール板Ｄ１２を接着剤で貼着して（図４参照）、図１〜図３に示すような外観を呈する容器１で成る愛玩動物用ベッドが完成する。
【００２９】
容器１は、当該容器を形成する計１２枚の段ボール板Ｄ１〜Ｄ１２のうち、３枚の段ボール板Ｄ１、Ｄ２およびＤ１２が接着剤で貼着されるが、容器主部の最上層を形成する段ボール板Ｄ３に対して接着剤で貼着される円形リング状の段ボール板Ｄ２は、当該段ボール板Ｄ２に形成された各穴ｈ２、ｈ２…に各ホルダ２、２…の上フック部３を嵌め入れると、その段ボール板Ｄ２の中心が必然的に段ボール板Ｄ３の中心と一致するようになっている。また、段ボール板Ｄ２の上に接着剤で貼着する円形リング状の段ボール板Ｄ１は、その円形リングの内径が、段ボール板Ｄ２の円形リングの内径と同一に形成されることにより、その円形リングの内縁部を段ボール板Ｄ２の円形リングの内縁部と重ね合わすようにして貼着すれば、段ボール板Ｄ１の中心が必然的に段ボール板Ｄ２の中心と一致するようになっている。また、容器主部の最下層を形成する段ボール板Ｄ１１に対して接着剤で貼着される段ボール板Ｄ１２は、当該段ボール板Ｄ１２に形成された各穴ｈ、ｈ…に各ホルダ２、２…の下フック部４を嵌め入れると、その段ボール板Ｄ１２の中心が必然的に段ボール板Ｄ１１の中心と一致するようになっている。
【００３０】
すなわち、容器１を形成する計１２枚の段ボール板Ｄ１〜Ｄ１２のうち、接着剤で貼着して固定するのは、段ボール板Ｄ１、Ｄ２、Ｄ１２の３枚のみであり、しかも、これら段ボール板Ｄ１、Ｄ２、Ｄ１２は、その中心を他の段ボール板の中心と揃えて接着することが容易な構成となっているから、その接着加工は面倒なものではなく、加工コストも然程嵩まないという利点がある。
【００３１】
また、容器１の主部を形成する段ボール板Ｄ３〜Ｄ１１の端を一括保持するホルダ２、２…の上フック部３と下フック部４が、夫々段ボール板Ｄ３に接着剤で貼着された段ボール板Ｄ２の穴ｈ２、ｈ２…と、段ボール板Ｄ１１に接着剤で貼着された段ボール板Ｄ１２の穴ｈ１２、ｈ１２…に嵌め入れられることによって、それら上フック部３と下フック部４が容器１の側方から見えないように隠されると同時に、ホルダ２、２…が縦溝Ｍ、Ｍ…の溝内から外れ落ちることが防止されるという効果がある。
【００３２】
更に、段ボール板Ｄ２の上に、段ボール板Ｄ１を貼り付けることによって、段ボール板Ｄ２に形成された穴ｈ２、ｈ２…と、その穴ｈ２、ｈ２…に嵌め入れたホルダ２、２…の上フック部３が覆い隠されて、容器１が外観体裁の良いものとなっている。
【００３３】
なお、実施例の容器１は、その主部が、円形リング状の段ボール板Ｄ３〜Ｄ８と、円形の段ボール板Ｄ９〜Ｄ１１とを積層して形成されているが、本考案は、これに限らず、容器の主部が、二つの等しい長さの平行線と二つの半円形からなる長円形（角丸長方形）リング状の段ボール板と、長円形の段ボール板とを積層して成るものや、楕円形リング状の段ボール板と、楕円形の段ボール板とを積層して成るものであってもよい。また、容器の形状は、ボウル型や擂鉢型に限定されるものではなく、その上面が、猫やフェレット等の動物が入れる程度に開放された形状となっていればよい。
【００３４】
また、実施例のホルダ２は、積層段ボール板もしくは強化段ボール板で形成されているが、本考案のホルダは、これに限らず、模型用シナ合板等の合板で形成されるものや、天然木板やプラスチック板で形成されるものであってもよい。
【産業上の利用可能性】
【００３５】
本考案は、段ボールで製作される愛玩動物用ベッドの生産性向上とコスト低減に資するものである。
【符号の説明】
【００３６】
１…上面開放型の容器
２…ホルダ
３…ホルダの上フック部
４…ホルダの下フック部
５…ホルダのシャンク部
Ｄ１〜Ｄ１２…段ボール板
ｍ３〜ｍ１１…摺り割り溝
ｈ２…穴
ｈ１２…穴
【図１】
0003163429.tif 000003
【図２】
0003163429.tif 000004
【図３】
0003163429.tif 000005
【図４】
0003163429.tif 000006
【図５】
0003163429.tif 000007
【図６】
0003163429.tif 000008
【図７】
0003163429.tif 000009
【図８】
0003163429.tif 000010